【手続補正書】
【提出日】平成18年12月19日(2006.12.19)
【手続補正１】
【補正対象書類名】明細書
【補正対象項目名】特許請求の範囲
【補正方法】変更
【補正の内容】
【特許請求の範囲】
【請求項１】
バスタブ内の湯水をポンプによって吸込配管を介して吸引すると共に、吸引した湯水を吐出配管を介してバスタブ内に吐出するジェットバスであって、
前記吸込配管もしくは吐出配管に当該配管内の圧力を検知する圧力スイッチを設けると共に、該圧力スイッチの接点を前記ポンプの電源供給用のケーブルに接続したことを特徴とするジェットバス安全装置。
【請求項２】
バスタブ内の湯水をポンプによって吸込配管を介して吸引すると共に、吸引した湯水を吐出配管を介してバスタブ内に吐出するジェットバスであって、
前記吸込配管もしくは吐出配管内の圧力を検知すると共にその接点を前記ポンプの電源供給用のケーブルに接続した圧力スイッチと、前記ポンプの電流値もしくは回転数を検知してポンプへの電源供給を制御するコントローラと、を具備することを特徴とするジェットバス安全装置。
【請求項３】
前記圧力スイッチの接点は、ポンプに直列接続もしくは並列接続されることを特徴とする請求項１または２に記載のジェットバス安全装置。
【請求項４】
前記圧力スイッチは、ポンプが起動してから所定時間後の圧力を検知することを特徴とする請求項１ないし３のいずれかに記載のジェットバス安全装置。
【手続補正２】
【補正対象書類名】明細書
【補正対象項目名】０００２
【補正方法】変更
【補正の内容】
【０００２】
【従来の技術】
従来、ジェットバスの吸込口への異物吸込等による異常発生時にポンプを停止させる安全装置としては、例えば図９に示すものが一般的である。この安全装置１００は、バスタブの吸込口とポンプの吸引口を接続する吸込配管か、バスタブの吐出口とポンプの吐出口を接続する吐出配管に圧力スイッチ１０１を配置し、この圧力スイッチ１０１がセンサーケーブル１０２でコントローラ１０３の制御回路１０４に接続されている。
【手続補正３】
【補正対象書類名】明細書
【補正対象項目名】０００６
【補正方法】変更
【補正の内容】
【０００６】
本発明は、このような事情に鑑みてなされたもので、請求項１または２記載の発明の目的は、ケーブル構成を簡易にして安価に形成し得ると共に、異常発生を精度良く検知してポンプを確実に停止させ得るジェットバス安全装置を提供することにある。また、請求項３記載の発明の目的は、請求項１または２記載の発明の目的に加え、構成をより簡略化し得るジェットバス安全装置を提供することにある。また、請求項４記載の発明の目的は、請求項１ないし３記載の発明の目的に加え、圧力異常をより精度良く検知し得るジェットバス安全装置を提供することにある。
【手続補正４】
【補正対象書類名】明細書
【補正対象項目名】０００９
【補正方法】変更
【補正の内容】
【０００９】
また、請求項２記載の発明は、バスタブ内の湯水をポンプによって吸込配管を介して吸引すると共に、吸引した湯水を吐出配管を介してバスタブ内に吐出するジェットバスであって、吸込配管もしくは吐出配管内の圧力を検知すると共にその接点をポンプの電源供給用のケーブルに接続した圧力スイッチと、ポンプの電流値もしくは回転数を検知してポンプへの電源供給を制御するコントローラと、を具備することを特徴とする。
【手続補正５】
【補正対象書類名】明細書
【補正対象項目名】００１０
【補正方法】変更
【補正の内容】
【００１０】
このように構成することにより、請求項１記載の発明と同様に、ケーブルの構成が簡易化されると共に、異常発生が圧力スイッチで検知されて、その接点の作動でポンプへの電源供給が遮断されたり回転数が低下される。また、異常発生でポンプの電流値や回転数が変化した場合も、この異常をコントローラが検知して、ポンプへの電源供給が遮断される。これにより、異常発生時の検知が圧力スイッチの圧力とポンプの電流値や回転数の２系統となって精度良く検知できて、異常発生時にポンプが例えばより確実に停止される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項３記載の発明は、圧力スイッチの接点が、ポンプに直列接続もしくは並列接続されることを特徴とする。このように構成することにより、ポンプに圧力スイッチの接点を直列接続したり並列接続するだけで対応できることから、回路構成が簡単となって、安全装置の構成がより簡略化される。
【手続補正８】
【補正対象書類名】明細書
【補正対象項目名】００１３
【補正方法】変更
【補正の内容】
【００１３】
また、請求項４記載の発明は、圧力スイッチが、ポンプが起動してから所定時間後の圧力を検知することを特徴とする。このように構成することにより、ポンプ起動直後の不安定な圧力ではなく安定した状態の圧力が圧力スイッチで検知されることから、ジェットバスの使用時の圧力異常を精度良く検知できて、異物吸込等の異常発生的にポンプがより確実に停止される。
【手続補正９】
【補正対象書類名】明細書
【補正対象項目名】００３１
【補正方法】変更
【補正の内容】
【００３１】
また、コントローラ８による異常検知の場合に、ポンプ７の持つ個々の特性に応じて設定電流値Ｉｓを設定し、この設定電流値Ｉｓに基づいて基準電流値Ｉｐを設定するため、ポンプ７の特性バラツキによる異常発生の誤動作を確実に防止できて、より高精度な異常検知が可能になる。これらのことから、例えば吸込口３に異物等が吸い込まれた異常状態を、圧力スイッチ９による機械的検知とコントローラ８による電気的検知の２系統で速やかかつ高精度に検知して、ポンプモータ７ａの回転数を低下させたり停止させることができる等、この安全装置１の使用により事故等の発生のない安全性の高いジェットバスを容易に得ることが可能になる。
【手続補正１０】
【補正対象書類名】明細書
【補正対象項目名】００４０
【補正方法】変更
【補正の内容】
【００４０】
なお、上記各実施例における、設定電流値Ｉｓに対する上限幅ΔＩｐや下限幅ΔＩｕ等の具体的な電流値やコントローラ８内の各回路例等も一例であって、例えば上限幅ΔＩｐと下限幅ΔＩｕを同一に設定する等、本発明に係わる各発明の要旨を逸脱しない範囲において種々変更可能であることはいうまでもない。
【手続補正１１】
【補正対象書類名】明細書
【補正対象項目名】００４２
【補正方法】変更
【補正の内容】
【００４２】
また、請求項２記載の発明によれば、請求項１記載の発明と同様に、ケーブル構成が簡易となって安全装置の構成を簡略化することができる。また、異常発生が圧力スイッチで検知されて、その接点の作動でポンプへの電源供給を例えば遮断することができると共に、異常発生時のポンプの電流値や回転数の変化をコントローラで検知してポンプへの電源供給を遮断するため、異常検知が圧力スイッチの圧力とポンプの電流値や回転数の２系統となって精度良く検知できて、異常発生時にポンプをより確実に停止させることができる。
【手続補正１２】
【補正対象書類名】明細書
【補正対象項目名】００４３
【補正方法】削除
【補正の内容】
【手続補正１３】
【補正対象書類名】明細書
【補正対象項目名】００４４
【補正方法】変更
【補正の内容】
【００４４】
また、請求項３記載の発明によれば、請求項１または２記載の発明の効果に加え、圧力スイッチの接点がポンプに直列接続もしくは並列接続されるため、その回路構成が簡単となって、安全装置の構成をより一層簡略化することができる。
【手続補正１４】
【補正対象書類名】明細書
【補正対象項目名】００４５
【補正方法】変更
【補正の内容】
【００４５】
また、請求項４記載の発明によれば、請求項１ないし３記載の発明の効果に加え、圧力スイッチでポンプが起動してから所定時間後の圧力が検知されるため、ポンプ起動直後の不安定な圧力状態を無視してジェットバスが使用される安定した状態の圧力を検知でき、圧力異常を精度良く検知できて、異物吸込等の異常発生時にポンプをより一層確実に停止させることができる等の効果を奏する。